(57)【特許請求の範囲】
【請求項１】
非接触型充電機能を有するテーブルであって、
前記テーブルは、天板と、折り畳み可能な足部と、を備え、
前記天板は、少なくとも２個以上のバッテリー設置部と、ワイヤレス充電パッドと、表示部と、を有し、
前記ワイヤレス充電パッドは、使用時に前記バッテリー設置部に設置される少なくとも２個以上のバッテリーから、電力供給を受け、
前記表示部は、前記足部の動作に連動して表示のＯＮ／ＯＦＦが切り替わり、
さらに前記足部が収納時の状態になった際には前記表示部がＯＦＦになることを特徴とするテーブル。
【請求項２】
前記ワイヤレス充電パッドは、少なくとも前記天板の上面約半分の領域で充電可能となるように複数配列されていることを特徴とする、請求項１に記載のテーブル。
【請求項３】
前記天板は、太陽光発電パネルを有し、
前記太陽光発電パネルは、前記バッテリーとともに前記ワイヤレス充電パッドに電力を供
給することを特徴とする、請求項１又は２に記載のテーブル。
【請求項４】
前記テーブルは、前記少なくとも２個以上のバッテリーの並列／直列を切り替える、並直
列切替器を有していることを特徴とする、請求項１〜３のいずれかに記載のテーブル。
【発明の詳細な説明】
【技術分野】
【０００１】
本発明は、非接触型充電機能を内蔵した、折り畳み式テーブルに関するものである。
【背景技術】
【０００２】
スマートフォン等の電子携帯端末機の充電には、従来から有線充電と非接触型充電（無線充電、ワイヤレス充電ともいう）とがある。有線充電は、ACアダプタに充電用のコードを差し、そのコードを端末に接続して端末の充電を行う方法である。非接触型充電は、専用の充電パッドの上に端末を載せるだけで端末を充電することが可能な方法である。
従来は前者の方式が主流であり、現在もなお多くの機種が有線充電式である。しかしながら、近年、非接触型充電に対応した機種も増えつつあり、今後は非接触型充電に対応した機種がより一層普及すると見込まれている。
【０００３】
非接触型充電用の充電パッドは、それ単独の機能を持つ製品（充電器としてのみ使用されるもの）だけではなく、テーブルや読書用の照明家具などに内蔵されている製品も数多く出ている。
非接触型充電を利用する大きな理由の一つに「生活空間のコードレス化」がある。その点を考えると、充電パッドの電源コードを家具の内側など普段の使用では見えない位置に配線できる後者の需要は大きい。
【０００４】
例えば、テーブルに非接触型充電器が内蔵されているものは、特許文献１や２のようなものがある。
【先行技術文献】
【特許文献】
【０００５】
【特許文献１】特開２０１１−８３４０７
【特許文献２】特開２０１４−９７２０８
【発明の概要】
【発明が解決しようとする課題】
【０００６】
スマートフォンなどの携帯情報端末器では、様々な作業――写真撮影、メールの送受信、インターネットの閲覧、音楽の再生など――をすることができる。しかし、それに伴い携帯情報端末器が消費する電力も増え、１日に一度の充電では足りない場合が多い。充電が必要な時に自宅にいるとは限らないため、コンセントのない外出先でも充電できるような製品やサービスも多く提供されている。
【０００７】
ところで、キャンプやＢＢＱなどのアウトドア行事では、屋外に持ち運べるテーブルを使用することが多い。アウトドア行事に使用するテーブルに非接触型充電器が搭載されていれば、ケーブルを引っ掛けるおそれなく充電することができる。
さらに、非接触型充電の場合、（充電パッドのサイズによるが）一つの充電パッドで複数の端末を同時に充電することができる。そのため、モバイルバッテリーを持っていない行事参加者も自分の携帯情報端末器を充電できる。
【０００８】
しかし、従来の非接触型充電器内蔵のテーブルは、屋内の所定の位置に設置し、それ以降は部屋の模様替えでもしない限りは動かされないようなタイプのテーブルしかなかった。家具に内蔵された非接触型充電器には電源コードが接続されており、電源コードをコンセントに指すことで、充電器に電力を供給している。つまり、従来の非接触型充電器内蔵の家具は、コンセントのある場所でしか使用することができないのである。
特許文献１，２には、充電器への電力供給方法については記載がない。ただし、いずれもリビング又はオフィスという室内での使用を想定したテーブルであり、持ち運びを想定した記述がないことから、従来の一般的な方法で充電器に電力を供給する以外の方法は文献からは想定できない。
【課題を解決するための手段】
【０００９】
そこで、本発明は、コンセントのない屋外でも使用でき、さらに持ち運びも容易な非接触型充電機能を有するテーブルを提供しようとするものである。
【発明の効果】
【００１０】
上記課題を解決するため、本発明は、非接触型充電機能を有するテーブルであって、
前記テーブルは、非接触充電パッドと、少なくとも２個以上のバッテリー設置部と、を備え、
前記テーブルの脚は、折り畳み可能となっており、
前記非接触充電パッドは、前記テーブルの天板に内蔵され、
さらに、前記非接触充電パッドは、使用時に前記バッテリー設置部に設置される少なくとも２個以上のバッテリーから、電力供給を受けることを特徴とする。
【００１１】
このような構成とすることで、使用時（携帯情報端末に充電する時）にコンセント不要なモバイルバッテリーによって非接触充電パッドに電力が供給されるため、コンセントのない屋外でもテーブルに内蔵された充電機能を使用できる。
さらに、テーブルの脚は折り畳みテーブル全体をコンパクトな状態にすることで、テーブルの持ち運びが容易となり、収納時のスペースを小さくすることができる。
【００１２】
さらに本発明の好ましい形態では、前記天板に表示部が設けられていることを特徴とする。
【００１３】
このような構成とすることで、バッテリー残量や日時などの情報を机に表示でき、使用者がこれらの情報を容易に知ることができる。
【００１４】
さらに本発明の好ましい形態では、前記表示部は、前記脚の動作に連動して表示のＯＮ／ＯＦＦが切り替わり、
前記脚が収納時の状態になった際には表示部がＯＦＦになることを特徴とする。
【００１５】
このような構成とすることで、テーブルを使用しない時に表示部の表示が自動的に消えるため、表示部の表示の消し忘れを防止し、消費電力を抑えることができる。
【００１６】
さらに本発明の好ましい形態では、前記天板は、太陽光発電パネルを有し、
前記太陽光発電パネルは、前記バッテリーとともに前記ワイヤレス充電パッドに電力を供給することを特徴とする。
【００１７】
このような構成とすることで、携帯情報端末器に充電可能な電力の量を、バッテリーのみの場合よりも増やすことができる。さらに、モバイルバッテリーの電力がなくなっても、太陽光発電で携帯情報端末への充電を続けることができる。
【００１８】
さらに本発明の好ましい形態では、前記テーブルは、前記少なくとも２個以上のバッテリーの並列／直列を切り替える、並直列切替器を有していることを特徴とする。
【００１９】
このような構成とすることで、使用者はバッテリーから携帯情報端末器に送られる電力の電圧を任意に変更することができる。例えば、充電速度を早くしたい場合には直列モードに、充電可能な時間を伸ばしたい場合には並列モードにする、というような具合である。
【図面の簡単な説明】
【００２０】
【図１】本発明の実施形態１に係るテーブルの（ア）斜視図  （イ）平面図
【図２】実施形態１に係るテーブルの（ア）正面図  （イ）左側面図
【図３】実施形態１に係るテーブルの（ア）底面側の斜視図  （イ）脚をたたんだ状態の斜視図
【図４】実施形態１に係るテーブルを折り畳んだ状態の斜視図
【図５】実施形態１に係るテーブルの表示部の平面図
【図６】本発明の実施形態２に係るテーブルの（ア）斜視図  （イ）平面図
【図７】実施形態２に係るテーブルの（ア）正面図  （イ）左側面図
【発明を実施するための形態】
【実施形態１】
【００２１】
以下、図面を用いて本発明の実施形態１に係るテーブルについて説明する。なお、本発明においてバッテリー設置部に接続するバッテリーはすべてモバイルバッテリーを指している。モバイルバッテリーとは、あらかじめ当該バッテリーに充電しておくことで、他の携帯情報端末の充電時にコンセントが不要となるバッテリーである。
【００２２】
実施形態１のテーブル１は、４本の脚３と、天板２を備えている。天板２は、上天板２１と、下天板２３とを有し、上天板２１と下天板２３とは接着などで固定されている。また、天板２は、折り畳むために横方向の中央部分で縦方向に分離でき、正面視や平面視で左側の天板を左天板２Ｌ、右側の天板を右天板２Ｒとする。すなわち、天板２は左上天板２１Ｌ、左下天板２３Ｌ、右上天板２１Ｒ、右下天板２３Ｒの４つの天板のパーツで構成されている。
【００２３】
上天板２１には、ほぼ全面に非接触型充電用の充電パッド２１１が埋め込まれている。図１、図４において、点線で示された部分に充電パッド２１１が設けられている。本実施形態の充電パッド２１１は、上天板２１の内部に埋め込まれているため、外側からは見えないようになっている。
充電パッド２１１が上天板２１のほぼ全面に内蔵されているため、天板２のどこに携帯情報端末器を置いても充電することが可能である。
【００２４】
本実施形態の充電パッド２１１は、Ｑｉという規格に対応したものを用いている。Ｑｉとは、携帯情報端末器向け（低電力向け）のワイヤレス給電の国際規格である。この規格外の非接触型充電器を用いてもよいが、市販されている対応機種の多さに鑑みると、Ｑｉに対応した充電パッドを用いたほうがより多くの人に本発明を使用してもらいやすくなると考えられる。そのため、Ｑｉ規格に対応した充電パッドを用いるのが好ましい。
【００２５】
左下天板２３Ｌは、内部に３つのバッテリー設置部２３１と、並直列切替器２３２（図示せず）とを有している。３つのバッテリー設置部２３１と、並直列切替器２３２とは、電気的に接続されている。
バッテリー設置部２３１は、下天板２３の中にモバイルバッテリーを挿入できるよう、左下天板２３Ｌの手前側側面に設けられた穴である（図１（ア）、図２（ア））。本実施形態では、直方体形状の穴をバッテリー設置部２３１としているが、バッテリー設置部２３１の穴の形状は、挿入するバッテリーの種類・形状に応じて適宜変更してよい。例えば、断面形状が角丸四角形や、トラック形状となる穴を形成し、バッテリー設置部としてもよい。
【００２６】
バッテリー設置部２３１の内側には、バッテリーを接続するための接続部２３１ａが設けられており、この接続部２３１ａに３つの充電済みのバッテリーをそれぞれ接続することで、充電パッド、表示部及びＵＳＢポートに電力が供給される。（表示部とＵＳＢポートについては後述する）
【００２７】
このように、あらかじめ充電しておくことで携帯情報端末に充電する際にコンセント等からの電力供給が不要なモバイルバッテリーを電力源とする構成によって、コンセントのない屋外でも非接触型充電にて携帯情報端末を充電することが可能である。
【００２８】
なお、本実施形態では、下天板２３Ｌにバッテリー設置部２３１が３つ設けられているが、バッテリー設置部の数はこれに限らず、少なくとも２個以上あればよい。
【００２９】
並直列切替器２３２は、電気的には、接続部２３１ａと、充電パッド、表示部及びＵＳＢポートとの間に設けられている。
すなわちバッテリー内の電力は、バッテリー設置部２３１内の接続部２３１ａから、並直列切替器２３２を通じて、充電パッドや表示部、ＵＳＢポートにそれぞれ供給される。
【００３０】
並直列切替器２３２は、バッテリー設置部２３１に挿入される３つのバッテリーの接続方法（並列／直列）を任意に切り替えるために設けられている。３つのバッテリーを並列に接続するか、直列に接続するかによって、充電パッド２１１や表示部２１２、ＵＳＢポート２１３に流れる電圧が変化する。
電圧によって、充電速度と充電可能時間（充電持続時間）が変化する。そのため、急いで携帯情報端末器を充電したい場合には、並直列切替器２３２を直列モードにし、ＰＣの操作など“時間単位の電力消費は多くはないが操作する時間を長くとりたい”ような場合には、並直列切替器２３２を並列モードにする、といった使い分けをすることができる。
【００３１】
並直列切替器２３２は、並列／直列を切り替えるためのスイッチ２３２ａを有している。スイッチ２３２ａは図１（ア）と図２（イ）に示されている通り、外から操作できるようにテーブル１の側面に設けられている（なお、並直列切替器２３２の本体は左下天板２３Ｌの内部に設置されており、外からはスイッチ２３２ａ以外は見えない）。
【００３２】
左上天板２１Ｌは、非接触型充電に未対応の携帯情報端末器にも充電できるように、表示部の隣にＵＳＢポート２１３が一列に設けられている。本実施形態では、３つのＵＳＢポート２１３が設けられているが、ＵＳＢポート２１３の数や配置（レイアウト）はこれに限らず任意でよい。あるいは、ＵＳＢポートを備えないことも考えられる。
【００３３】
左上天板２１Ｌは、充電パッドに加え、表示部２１２を備えている。表示部２１２は、バッテリー設置部２３１に接続されたバッテリーの電力残量や、日付・時間などを表示する（図５）。この表示により、テーブル１の使用者は日時やバッテリーの電力残量に関する情報を得られるため、この情報をもとにスケジュール進行の管理等ができる。
本実施形態では、日付、時刻、バッテリーの電力残量に関する情報を表示しているが、実施形態はこれに限るものではなく、表示できる情報は好きにしてよい。バッテリーの電力残量のみを表示するようにしてもよいし、上記以外の情報、例えば並直列切替器が直列／並列のどちらのモードになっているのかを表示してもよい。
【００３４】
また、図３の（イ）に示されるように、表示部２１２の電源のＯＮ／ＯＦＦを切り替えることができるボタン２１２ａが、左下天板２３Ｌの底面、４本の脚３のうちの１つ（ちょうど表示部２１２の真下にある脚３）の基端と接触する部分に設けられている。
【００３５】
ボタン２１２ａは、（ア）のように脚３を立たせると、脚３の基端によって押圧される。ボタン２１２ａが脚３によって押圧されている間は、表示部２１２の電源がＯＮになる。
（イ）のように、脚３を折り畳むとボタン２１２ａへの押圧がなくなり、ボタン２１２ａが押圧されていない間は表示部２１２の電源はＯＦＦになる。
【００３６】
脚３の状態によって表示部２１２の電源が切り替わるため、机を使用しない時に自動的に電源がＯＦＦになる。これにより、机不使用時の電力消費を抑えることができる。
【００３７】
脚３は伸縮機能を備えており、使用時には使いやすい高さになるよう脚３を伸ばすことができる。収納時には、伸ばした分を元に戻せば脚３を折り畳むことができる。
【００３８】
さらに、図４に示されるようにテーブル１を半分に折り畳むことができる。左天板２Ｌと右天板２Ｒの境界部分の天板２の底面には回転部２３３が設けられている（図３）。
回転部２３３には、ヒンジ２３３ａが設けられている。脚３を図３（イ）のように折り畳んだ後、ヒンジ２３３ａを回転軸として、図４のように天板を折り畳むことができる。
【００３９】
このように折り畳めるようにすることで、使用者がテーブル１を運搬しやすくなる。また、収納に必要なスペースも小さくできる。
【００４０】
本実施形態では、天板２全体の寸法が１２０×６０ｃｍのものを想定しているため、収納・運搬時に天板２を二つ折りにする形態となっている。しかし、実施形態はこれに限らない。例えば、一人用で天板全体が６０×５０ｃｍくらいのテーブルであれば、天板の折り畳み機能はつけず、脚のみを折り畳めるようにしてもよい。
【００４１】
本実施形態では、表示部２１２を左天板の左寄りの奥側（バッテリー設置部側を手前とする）に、３つのＵＳＢポート２１３を表示部２１２の右側に一列にそれぞれ配置し、前記２つの部品より手前側に充電パッド２１１を設けているが、実施形態はこれに限らず、これらのレイアウトは好きにしてよい。例えば、表示部とＵＳＢポートを左天板の奥行き方向中央付近に設け、手前側と奥側の２か所に充電パッドを設けてもよい。
ただし配線が複雑にならないように、できればバッテリー設置部が設けられている側の天板にＵＳＢポートや表示部を設けるのが好ましい。つまり、バッテリー設置部が左天板に設けられているなら、左天板に表示部やＵＳＢポートを、バッテリー設置部が右天板に設けられているなら、右天板に表示部やＵＳＢポートを設けるのがよい。
【実施形態２】
【００４２】
次に、図６，７を用いて実施形態２に係るテーブル５について説明する。
実施形態２のテーブル５は、天板に内蔵された充電パッド６１１に太陽光発電パネル６１１ｂ（図６，７において灰色で示された部分）が備わっているのが特徴である。
【００４３】
テーブル５は、伸縮機能を持ち折り畳みが可能な脚７と、天板６を備えている。天板６は、上天板６１と、下天板６３とを有し、上天板６１と下天板６３とは接着などで固定されている。また、天板６は、折り畳むために横方向の中央部分で縦方向に分離でき、正面視や平面視で左側の天板を左天板６Ｌ、右側の天板を右天板６Ｒとする。すなわち、天板６は左上天板６１Ｌ、左下天板６３Ｌ、右上天板６１Ｒ、右下天板６３Ｒの４つの天板のパーツで構成されている。
【００４４】
上天板６１は、全面に太陽光発電パネル６１１ｂを備える充電パッド６１１が埋め込まれ、充電パッド６１１は上面がガラス部６１３で覆われている。
充電パッド６１１には、太陽光発電パネル６１１ｂと充電部６１１ａが交互に配列されている。充電部６１１ａは、携帯情報端末器に充電可能な部分であり、太陽光発電パネル６１１ｂで発電された電力が、充電部６１１ａに供給されるようになっている。
【００４５】
図６に示される通り、太陽光発電パネル６１１ｂと充電部６１１ａはそれぞれの列の奥行きが小さく、細かく交互に配列されている。このような配列とすることで、充電できないエリア（太陽光発電パネル６１１ｂ）ひとつひとつの面積が小さくなるため、携帯情報端末器をどこに置いてもいずれかの列の充電部６１１ａに接触する。そのため、使用者がわざわざ適切な位置決めをせずとも、携帯情報端末器をテーブル５の上に置くだけで充電することができる。
【００４６】
なお、実施形態はこれに限らず、太陽光発電パネル６１１ｂと充電部６１１ａのレイアウトは好きにしてよい。
例えば、充電できるエリアとできないエリアに完全に分かれてしまうが、天板の奥側半分を太陽光発電パネル、手前側半分を充電部としてもよい。このようなレイアウトにすることで、充電部の１エリアに含まれるコイルの数を増やせるため、充電速度上げることができる。
他にも、太陽光発電パネルと充電部を上下の２層構造とし、上層に太陽光発電パネル、下層に充電部を配置することも考えられる。天板全体を太陽光発電パネルと充電部にできるため発電効率と充電効率の両方が向上する。
【００４７】
充電パッド６１１には、実施形態１と同じくＱｉ規格の充電器が用いられている。詳細は、実施形態１と同じため省略する。（なお、実施形態１と同じく充電パッドに用いる非接触型充電器はＱｉ規格でないものを用いてもよいが、普及率を考えるとＱｉ規格のものが好ましい）。
【００４８】
実施形態２のテーブル５には、実施形態１と同じく、左下天板６３Ｌにバッテリー設置部６３１と、並直列切替器６３２が設けられている。バッテリー設置部および並直列切替器の構造の構造については、実施形態１と同じため省略する。
【００４９】
バッテリー設置部６３１に接続された複数のバッテリーから、並直列切替器６３２を介して充電パッド６１１に電力が供給される点は、実施形態１と同じである。一方、実施形態２における相違点は、バッテリーからの電力供給に加え、太陽光発電パネル６１１ｂで発電された電力も充電パッド６１１に供給されることである。
【００５０】
太陽光発電パネル６１１ｂで発電された電力が充電パッド６１１に供給されることで、（程度は天候に左右されるものの）バッテリーの消費電力を抑え、充電可能時間を伸ばすことができる。
テーブル５は、バーベキューやキャンプなどの屋外行事で使用することを想定しているため、太陽光発電パネルを搭載するメリットは大きい。天気が良ければ、自然エネルギーで十分な電力を充電パッドに供給できる。
【００５１】
ガラス部６１３は、充電パッド６１１を保護するためのものである。太陽光発電パネル６１１ｂの発電を妨げないように、本実施形態のガラス部６１３は無色透明な強化ガラスが用いられている。強化ガラスは、傷つきにくく耐久性に優れている。
なお、ガラス部と称しているが素材はガラスに限らず、太陽光発電パネルの発言を妨げずに充電パッドを保護できるものであれば何でもよい。
例えば、強化ガラスよりも軽量でコストも抑えられる透明なアクリル板を用いてもよい。ただし、テーブル５を屋外で使用することを考えると、耐久面で難のある（傷つきやすい）アクリル板よりも、強化ガラスの方が好ましい。
【００５２】
実施形態２のテーブル５も、実施形態１のテーブル１と同じく、天板６を半分に折り畳むことができるように、左天板６Ｌと右天板６Ｒの境界部分の天板６の底面には回転部６３３が設けられている。
回転部６３３の構造、脚７の構造、および収納方法については実施形態１と同じため省略する。
【００５３】
本実施形態では、上天板６１全体に太陽光発電パネル６１１ｂ搭載の充電パッド６１１が設けられているが、実施形態はこれに限らない。実施形態１のように、表示部とＵＳＢポートの両方あるいはどちらかを備えてもよい。
【産業上の利用可能性】
【００５４】
上記の通り、本発明は、コンセントのない屋外でも使用でき、さらに持ち運びも容易な非接触型充電機能を有するテーブルを提供することができる。
【符号の説明】
【００５５】
１    実施形態１のテーブル
２    天板
２１    上天板
２１１    充電パッド（を内蔵する部分）
２１２    表示部
２１２ａ    表示部のスイッチ
２１３    ＵＳＢポート
２３    下天板
２３１    バッテリー設置部
２３１ａ    バッテリーの接続部
２３２    並直列切替器
２３２ａ    並直列切替器のスイッチ
２３３    回転部
２３３ａ    ヒンジ
３    脚
５    実施形態２のテーブル
６    天板
６１    上天板
６１１    充電パッド
６１１ａ    充電部
６１１ｂ    太陽光パネル
６１３    ガラス部
６３    下天板
６３１    バッテリー設置部
６３１ａ    バッテリーの接続部
６３２    並直列切替器
６３２ａ    並直列切替器のスイッチ
６３３    回転部
６３３ａ    ヒンジ
７    脚
【要約】      （修正有）【課題】コンセントのない屋外でも使用でき、さらに持ち運びも容易な非接触型充電機能を有するテーブルを提供する。【解決手段】非接触型充電機能を有するテーブル１であって、テーブルは、非接触充電パッド２１１と、少なくとも２個以上のバッテリー設置部２３１と、を備え、テーブルの脚３は、折り畳み可能となっており、非接触充電パッドは、テーブルの天板２に内蔵され、さらに、非接触充電パッドは、使用時にバッテリー設置部に設置される少なくとも２個以上のバッテリーから、電力供給を受けることを特徴とする。【選択図】図１【図１】
0006713671.tif 000002
【図２】
0006713671.tif 000003
【図３】
0006713671.tif 000004
【図４】
0006713671.tif 000005
【図５】
0006713671.tif 000006
【図６】
0006713671.tif 000007
【図７】
0006713671.tif 000008